(57)【特許請求の範囲】
【請求項１】
シリンダブロックに形成されて冷却水を上記シリンダブロックの一端側から他端側に向かって導く冷却水ジャケットと、シリンダ外周面から上記冷却水ジャケット内へ突出するフィンとをそなえ、上記シリンダ外周面に対向する上記冷却水ジャケットの壁面と上記フィンの先端との間、または、上記フィン自体に、上記フィンの両面側に連通する冷却水通路が形成されたエンジン冷却水通路構造において、環状プレートのフランジ外周側端縁が砂型に埋め込まれると共に、上記環状プレートのフランジ内周側端縁が上記砂型から上記シリンダ外周面と直交する内側方向へ環状に突出した中子を使用して、上記冷却水ジャケットを成形するエンジン冷却水通路成形方法。
【発明の詳細な説明】
【０００１】
【発明の属する技術分野】
本発明は、水冷エンジンにおける冷却水通路構造、特に、冷却水によるエンジンの冷却性能を高めるエンジン冷却水通路を成形するための方法に関する。
【０００２】
【従来の技術】
冷却水によるエンジンの冷却性能を高めるため、実開昭６４−３２４４６号公報に示されているように、水冷エンジンのシリンダ外周面からウォータジャケット内へ複数のフィンが張り出して、ウォータジャケット内における冷却水の流れを区分し、シリンダと冷却水との接触面積を増大させる技術が従来から知られているが、この場合には、シリンダ外周面に対向するウォータジャケット壁面にまで上記各フィンが延びているので、ウォータジャケット内の冷却水が比較的高温のシリンダヘッド側へ向かって流れることは各フィンにより完全に制約され、従って、冷却水によるシリンダ外周面やシリンダヘッドの冷却が常に良好であるとは限らなかった。
【０００３】
【発明が解決しようとする課題】
本発明は、冷却水によるエンジンの冷却性能が向上する冷却水通路を簡単に成形させようとするものである。
【０００４】
【課題を解決するための手段】
このため、本発明にかかるエンジン冷却水通路成形方法は、シリンダブロックに形成されて冷却水を上記シリンダブロックの一端側から他端側に向かって導く冷却水ジャケットと、シリンダ外周面から上記冷却水ジャケット内へ突出するフィンとをそなえ、上記シリンダ外周面に対向する上記冷却水ジャケットの壁面と上記フィンの先端との間、または、上記フィン自体に、上記フィンの両面側に連通する冷却水通路が形成されたエンジン冷却水通路構造において、環状プレートのフランジ外周側端縁が砂型に埋め込まれると共に、上記環状プレートのフランジ内周側端縁が上記砂型から上記シリンダ外周面と直交する内側方向へ環状に突出した中子を使用して、上記冷却水ジャケットを成形している。
【０００５】
すなわち、シリンダ外周面から冷却水ジャケット内へフィンが突出していて、シリンダブロックの一端側から他端側に向かって導かれる冷却水とシリンダ外周面との接触面積が増大させられているため、シリンダ外周面から冷却水への伝熱作用が高められて、冷却水によるエンジンの冷却特性が改善されている一方、シリンダ外周面に対向する冷却水ジャケットの壁面とフィンの先端との間、または、フィン自体に、フィンの両面側に連通する冷却水通路が形成されているので、この冷却水通路によって冷却水ジャケット内の冷却水が比較的高温のシリンダヘッド側へ向かって自由に流れることが可能となり、従って、シリンダ外周面やシリンダヘッドを冷却水によって常に良好に冷却させることができるようになると共に、フランジ外周側端縁が砂型に埋め込まれた環状プレートの内周側端縁が上記砂型からシリンダ外周面と直交する内側方向へ環状に突出した中子を使用して、シリンダブロックの冷却水ジャケットを成形しているため、冷却水ジャケット内にフィンを簡単に形成できることとなる。
【０００６】
【発明の実施の形態】
以下、図面に示す本発明の各実施形態例について、同等部分にはそれぞれ同一符号を付けて説明する。
図１及び図２において、車両に搭載された水冷式直列４シリンダエンジン１はシリンダブロック２及びシリンダヘッド３をそなえ、シリンダブロック２には、シリンダヘッド３に隣接してその長手方向に延びる冷却水ジャケット４、４が一体成形されており、この場合、冷却水ジャケット４、４は比較的浅く、例えば、図示しないピストンの下死点時におけるピストンリングの位置より上方に冷却水ジャケット４、４の下端が配置されるように形成されている。
【０００７】
また、冷却水ジャケット４、４の長手方向に適宜間隔をおいてシリンダブロック２に形成された多数の連通路５により、シリンダヘッド３に一体成形されてその長手方向に延びる図示しない冷却水ジャケットと冷却水ジャケット４、４とがそれぞれ連通されていると共に、シリンダブロック２の前面に冷却水ポンプ６が配設されている。
【０００８】
さらに、シリンダ外周面７から冷却水ジャケット４、４内へフィン８が突出し、シリンダ外周面７に対向する冷却水ジャケット４、４の壁面９とフィン８の先端との間には、フィン８の上下両面側に連通する冷却水通路１０が形成されている。
【０００９】
ここで、上記フィン８の製作法について説明する。
図３及び図４はシリンダブロック２における冷却水ジャケット４、４を造型するための中子２０を示し、中子２０は、４個の環状部２１が眼鏡状に１列に連なった鋼板製プレート２２の環状フランジのうち、外周側端縁２３が砂型２４に埋め込まれ、内周側端縁２５が砂型２４から環状に突出した形状をしており、中子２０を使用してシリンダブロック２を鋳造し、シリンダブロック２から砂型２４が除去されると、プレート２２のフランジ内周側端縁２５がシリンダブロック２のシリンダ外周面７内に鋳込まれる一方、砂型２４に埋め込まれていたプレート２２のフランジ外周側端縁２３がシリンダ外周面７から冷却水ジャケット４、４内へ突出するフィン８を形成することとなり、冷却水ジャケット４、４内にフィン８をきわめて簡単に成形させることができる。
【００１０】
エンジン１においては、図２に矢印で示されているように、エンジン稼動時に冷却水ポンプ６から吐出された冷却水は、シリンダブロック２の冷却水ジャケット４、４内をその長手方向に沿ってシリンダブロック２の後面側へ流れると同時に、各連通路５を通ってシリンダヘッド３の冷却水ジャケット内へ流入し、さらに、この冷却水ジャケット内をその長手方向に沿ってシリンダヘッド３の後面側へ流れ、冷却水ポンプ６の吸入口へ戻されて冷却水ジャケット４、４等を循環する。
【００１１】
このとき、シリンダ外周面７から冷却水ジャケット４、４内へフィン８が突出していて、冷却水ジャケット４、４内を流れる冷却水とシリンダ外周面７との接触面積が増大させられているため、シリンダ外周面７から冷却水への伝熱作用が高められて、冷却水によりシリンダブロック２を効果的に冷却することができる。
【００１２】
他方、シリンダ外周面７に対向する冷却水ジャケット４、４の壁面９とフィン８の先端との間に冷却水通路１０が形成されていて、フィン８の上下両面側が冷却水通路１０により連通しているので、冷却水ジャケット４、４内の冷却水が冷却水通路１０を通り、比較的高温のシリンダヘッド３側へ向かって自由に流れることが可能となり、従って、この冷却水の流れによってもシリンダ外周面７やシリンダヘッド３を常に良好に冷却させることができるようになる。
【００１３】
また、冷却水ジャケット４、４が比較的浅く形成されて、冷却水ジャケット４、４を循環する冷却水量が比較的少ないため、この面からもエンジン１の冷態始動時における暖機の促進を助長できると同時に、エンジン１の軽量化を図ることができる一方、冷却水の温度上昇が早められて、冷却水温で制御される点火時期や燃料噴射量の応答遅れをも解消することができる。
【００１４】
図５及び図６に示された実施形態例においては、上記実施形態例の場合と同様に、シリンダブロック２の冷却水ジャケット４、４内へフィン８が突出しているが、冷却水ポンプ６の吐出口に面する冷却水ジャケット４、４の入口３０では、仮想線の２点鎖線で示すようにフィン８が切除されており、このため、冷却水ポンプ６の吐出口から入口３０を通って冷却水ジャケット４、４へ流入する冷却水の流れは、フィン８により阻害されることがないので、上記実施形態例と同等の作用効果を奏することができると共に、冷却水によりシリンダブロック２及びシリンダヘッド３を一層効果的に冷却させることができる利点がある。
【００１５】
なお、上記各実施形態例では、シリンダ外周面から冷却水ジャケット内へフィンが突出して、シリンダ外周面に対向する冷却水ジャケットの壁面とフィンの先端との間に冷却水通路が形成されているが、前記従来技術におけるフィン自体に、そのフィンの両面側に連通する孔部を形成させて、この孔部により冷却水ジャケット内の冷却水がシリンダヘッド側へ自由に流通できるように構成しても、上記各実施形態例と同等の作用効果を奏することができるのはいうまでもない。
【００１６】
【発明の効果】
本発明にかかるエンジン冷却水通路成形方法によれば、シリンダ外周面から冷却水ジャケット内へ突出したフィンにより、冷却水ジャケット内の冷却水とシリンダ外周面との接触面積が増大させられて冷却水によるエンジンの冷却特性が改善されていると共に、冷却水ジャケット内に形成された冷却水通路により冷却水ジャケット内の冷却水が比較的高温のシリンダヘッド側へ向かって自由に流れることが可能となるので、シリンダ外周面やシリンダヘッドを冷却水によって常に良好に冷却させることができるエンジン冷却水通路構造において、フランジ外周側端縁が砂型に埋め込まれた環状プレートの内周側端縁が上記砂型からシリンダ外周面と直交する内側方向へ環状に突出した中子を使用して、シリンダブロックの冷却水ジャケットを成形するため、冷却水ジャケット内にフィンをきわめて簡単に成形させることができる長所がある。
【図面の簡単な説明】
【図１】本発明の実施形態例における縦断面図。
【図２】上記実施形態例における冷却水ジャケットの斜視図
【図３】上記実施形態例に対する中子の上面図。
【図４】図３のIV−IV縦断面拡大図。
【図５】本発明の他の実施形態例における要部横断面図。
【図６】図５のVI−VI矢視縦断面図。
【符号の説明】
１    エンジン
２    シリンダブロック
３    シリンダヘッド
４    冷却水ジャケット
６    冷却水ポンプ
７    シリンダ外周面
８    フィン
１０  冷却水通路
３０  冷却水ジャケット入口
【図１】
0003606061.tif 000002
【図２】
0003606061.tif 000003
【図３】
0003606061.tif 000004
【図４】
0003606061.tif 000005
【図５】
0003606061.tif 000006
【図６】
0003606061.tif 000007